(57)【要約】      （修正有）【課題】作成するラベルを直感的に選択できるラベル作成装置を提供する。【解決手段】対象物に貼り付け可能なラベルを作成するラベル作成装置は、装置筐体と、装置筐体に着脱可能に構成された被印字テープと、被印字テープに対し所望の印字を行うサーマルヘッドと、各種情報の表示を行うと共に、操作面５０により所望の操作入力を実行可能なタッチパネル部２と、を備える。タッチパネル部２には、対象物のアンペアスイッチ４１等を含む所定の視野の制御盤４０の第１イメージ画像と、当該第１イメージ画像上の対象物の位置に重ねて配置され、対象物を貼り付け対象とするラベルＬ１〜Ｌ３の第２イメージ画像とが表示され、いずれかのラベルの第２イメージ画像を指定する操作入力がなされると、当該第２イメージ画像に対応するラベルが作成される。【選択図】図５
2014188727.tif 000002
【特許請求の範囲】
【請求項１】
対象物に貼り付け可能なラベルを作成するラベル作成装置であって、
装置の外郭を構成する装置筐体と、
前記装置筐体に着脱可能に構成された被印字媒体と、
前記被印字媒体に対し所望の印字を行う印字手段と、
各種情報の表示を行うと共に、操作面により所望の操作入力を実行可能な表示操作手段と、
少なくとも１つの前記対象物を含む所定の視野の第１イメージ画像、及び、当該第１イメージ画像上の前記対象物の位置に重ねて配置され、前記対象物を貼り付け対象とする前記ラベルの第２イメージ画像を前記表示操作手段に表示させる表示制御手段と、
前記操作面においていずれかの前記第２イメージ画像を指定する操作入力がなされた場合に、当該第２イメージ画像に対応する前記ラベルを作成するように、前記印字手段による印字を制御する印字制御手段と、を有する
ことを特徴とするラベル作成装置。
【請求項２】
請求項１記載のラベル作成装置において、
前記第１イメージ画像、当該第１イメージ画像に含まれる前記対象物を貼り付け対象とする前記ラベルの前記第２イメージ画像、及び、当該第２イメージ画像の前記第１イメージ画像上における配置位置情報を対応付けた第１相関情報と、前記第２イメージ画像、及び、当該第２イメージ画像に対応する前記ラベルの印字データを対応付けた第２相関情報と、を記憶した第１記憶手段をさらに有し、
前記表示制御手段は、
前記第１相関情報に基づいて、前記第１イメージ画像及び前記第２イメージ画像を前記表示操作手段に表示させ、
前記印字制御手段は、
前記第２相関情報に基づいて、操作入力がなされた前記第２イメージ画像に対応する前記印字データを印字するように前記印字手段を制御する
ことを特徴とするラベル作成装置。
【請求項３】
請求項１又は請求項２記載のラベル作成装置において、
前記被印字媒体の種別を指定する媒体指定手段をさらに有し、
前記表示制御手段は、
前記第１イメージ画像と、当該第１イメージ画像に含まれる前記対象物を貼り付け対象とする前記ラベルのうち、前記媒体指定手段により指定された種別の前記被印字媒体により作成可能な前記ラベルの前記第２イメージ画像と、を前記表示操作手段に表示させる
ことを特徴とするラベル作成装置。
【請求項４】
請求項１又は請求項２記載のラベル作成装置において、
前記装置筐体に装着された前記被印字媒体の種別情報を取得する種別情報取得手段をさらに有し、
前記表示制御手段は、
前記第１イメージ画像と、当該第１イメージ画像に含まれる前記対象物を貼り付け対象とする前記ラベルのうち、前記種別情報取得手段により取得された種別の前記被印字媒体により作成可能な前記ラベルの前記第２イメージ画像と、を前記表示操作手段に表示させる
ことを特徴とするラベル作成装置。
【請求項５】
請求項１又は請求項２記載のラベル作成装置において、
前記ラベル作成装置が対応可能な前記被印字媒体の種別情報を記憶した第２記憶手段をさらに有し、
前記表示制御手段は、
前記第１イメージ画像と、当該第１イメージ画像に含まれる前記対象物を貼り付け対象とする前記ラベルのうち、前記第２記憶手段に記憶された種別の前記被印字媒体により作成可能な前記ラベルの前記第２イメージ画像と、を前記表示操作手段に表示させる
ことを特徴とするラベル作成装置。
【請求項６】
請求項１乃至請求項５のいずれか１項記載のラベル作成装置において、
前記表示操作手段は、
複数の前記第２イメージ画像を一括して指定する操作入力をすることが可能であり、
前記印字制御手段は、
前記表示操作手段により前記複数の第２イメージ画像が指定された場合に、当該複数の第２イメージ画像に対応する複数の前記ラベルを一括して作成するように、前記印字手段による印字を制御する
ことを特徴とするラベル作成装置。
【請求項７】
請求項６記載のラベル作成装置において、
前記表示操作手段は、
前記操作面において所望の範囲を指定することにより前記複数の第２イメージ画像を一括して指定することが可能である
ことを特徴とするラベル作成装置。
【請求項８】
請求項６又は請求項７記載のラベル作成装置において、
前記装置筐体に装着された前記被印字媒体の種別情報を取得する種別情報取得手段をさらに有し、
前記印字制御手段は、
指定された前記複数の第２イメージ画像に対応する前記複数のラベルのうち、前記種別情報取得手段により取得された種別の前記被印字媒体により作成可能な前記ラベルを作成するように、前記印字手段による印字を制御する
ことを特徴とするラベル作成装置。
【請求項９】
請求項１乃至請求項８のいずれか１項記載のラベル作成装置において、
第２相関情報は、
前記第２イメージ画像、前記印字データ、及び、当該印字データを印字するために必要な前記被印字媒体の種別情報を対応付けており、
前記表示制御手段は、
前記第２相関情報に基づいて、前記第２イメージ画像ごとに、当該第２イメージ画像に対応する前記種別情報を、前記表示操作手段に表示させる
ことを特徴とするラベル作成装置。
【請求項１０】
請求項９記載のラベル作成装置において、
前記装置筐体に装着された前記被印字媒体の種別情報を取得する種別情報取得手段と、
前記種別情報取得手段により取得された前記種別情報及び前記第２相関情報の前記種別情報に基づいて、前記第２イメージ画像ごとに、当該第２イメージ画像に対応する前記ラベルを前記種別情報取得手段により取得された種別の前記被印字媒体により作成可能か否かを判定する作成可否判定手段と、をさらに有し、
前記表示制御手段は、
前記第２イメージ画像ごとに、前記作成可否判定手段による判定結果に関する情報を、前記表示操作手段に表示させる
ことを特徴とするラベル作成装置。
【請求項１１】
請求項１乃至請求項１０のいずれか１項記載のラベル作成装置において、
前記表示操作手段は、
前記第１イメージ画像及び前記第２イメージ画像を拡大して表示した状態で前記第２イメージ画像を指定する操作入力を実行可能である
ことを特徴とするラベル作成装置。
【請求項１２】
対象物に貼り付け可能なラベルを作成するラベル作成装置を操作するための、各種情報の表示を行うと共に操作面により所望の操作入力を実行可能な表示操作手段と演算手段とを備えた操作端末の前記演算手段に対し、
少なくとも１つの前記対象物を含む所定の視野の第１イメージ画像、及び、当該第１イメージ画像上の前記対象物の位置に重ねて配置され、前記対象物を貼り付け対象とする前記ラベルの第２イメージ画像を前記表示操作手段に表示させる表示手順と、
前記操作面においていずれかの前記第２イメージ画像を指定する操作入力がなされた場合に、当該第２イメージ画像に対応する前記ラベルを作成するように、前記ラベル作成装置の印字手段による印字を制御する制御信号を生成する信号生成手順と、
生成された前記制御信号を前記ラベル作成装置に送信する信号送信手順と、
を実行させるための、ラベル作成用処理プログラム。
【発明の詳細な説明】
【技術分野】
【０００１】
本発明は、対象物に貼り付け可能なラベルを作成するラベル作成装置及びラベル作成用処理プログラムに関する。
【背景技術】
【０００２】
例えば、特許文献１には、ユーザが、メニュー画面で用途等に応じて分類された項目を選択していきテンプレートを選択することで、対象物に貼り付け可能なラベルを作成するラベル作成装置が記載されている。
【先行技術文献】
【特許文献】
【０００３】
【特許文献１】特開２００９−９３２４３号公報
【発明の概要】
【発明が解決しようとする課題】
【０００４】
上記従来技術においては、ユーザは、メニュー画面で予め用意された分類項目を選択していくことで、作成するラベルを自ら指定する必要がある。このような方法でラベルを選択するには、ラベル名や分類項目を正しく覚える必要があり、操作が煩雑となってしまう。この結果、操作負担が大きく、操作者の利便性の面で改善の余地があった。
【０００５】
本発明の目的は、ラベルを直感的に選択できるようにすることで、ユーザの操作負担を低減し、利便性を向上できる、ラベル作成装置及びラベル作成用処理プログラムを提供することにある。
【課題を解決するための手段】
【０００６】
上記目的を達成するために、本願発明は、対象物に貼り付け可能なラベルを作成するラベル作成装置であって、装置の外郭を構成する装置筐体と、前記装置筐体に着脱可能に構成された被印字媒体と、前記被印字媒体に対し所望の印字を行う印字手段と、各種情報の表示を行うと共に、操作面により所望の操作入力を実行可能な表示操作手段と、少なくとも１つの前記対象物を含む所定の視野の第１イメージ画像、及び、当該第１イメージ画像上の前記対象物の位置に重ねて配置され、前記対象物を貼り付け対象とする前記ラベルの第２イメージ画像を前記表示操作手段に表示させる表示制御手段と、前記操作面においていずれかの前記第２イメージ画像を指定する操作入力がなされた場合に、当該第２イメージ画像に対応する前記ラベルを作成するように、前記印字手段による印字を制御する印字制御手段と、を有することを特徴とする。
【０００７】
本願発明のラベル作成装置では、表示制御手段の制御により、少なくとも１つの対象物を含む所定の視野の第１イメージ画像、及び、当該第１イメージ画像上の対象物の位置に重ねて配置され、対象物を貼り付け対象とするラベルの第２イメージ画像が表示操作手段に表示される。そして、ユーザが表示操作手段の操作面においていずれかの第２イメージ画像を指定する操作入力を行うと、印字制御手段が印字手段による印字を制御し、当該指定された第２イメージ画像に対応するラベルが作成される。
【０００８】
これにより、ユーザは、表示操作手段に表示された第２イメージ画像の中から所望のラベルに対応するイメージ画像を指定するだけで、ラベルを直感的に選択することができる。したがって、対象物の種別に応じて分類された項目を選択していくことで作成するラベルを選択するといった煩雑な操作が不要となるので、
ユーザの操作負担を低減し、利便性を向上できる。
【発明の効果】
【０００９】
本発明によれば、ラベルを直感的に選択できるようにすることで、ユーザの操作負担を低減し、利便性を向上できる。
【図面の簡単な説明】
【００１０】
【図１】本発明の一実施形態のラベル作成装置の全体構成を表す斜視図である。
【図２】着脱カバーが取り外され、且つ、カートリッジをカートリッジホルダに装着した状態におけるラベル作成装置の内部構造を表す斜視図である。
【図３】着脱カバーが取り外され、且つ、カートリッジをカートリッジホルダから取り外した状態におけるラベル作成装置の内部構造を表す斜視図である。
【図４】ラベル作成装置の制御系を表す機能ブロック図である。
【図５】タッチパネル部に表示されたイメージ画像の一例を表す説明図である。
【図６】制御盤のイメージ画像上のブレーカースイッチに重ねて表示されたラベルイメージの指定により作成されたラベルを表す説明図である。
【図７】ラベル作成装置に備えられたメモリに記憶された描画座標テーブル、印字パターンテーブル、及び貼り付け対象テーブルを表す説明図である。
【図８】ラベル作成時にラベル作成装置のＣＰＵによって実行される制御内容を表すフローチャートである。
【図９】装置筐体に装着された被印字テープの種別情報をカートリッジセンサで取得する変形例における、ラベル作成装置の制御系を表す機能ブロック図ある。
【図１０】装置筐体に装着された被印字テープの種別情報をカートリッジセンサで取得する変形例における、ラベル作成時にラベル作成装置のＣＰＵによって実行される制御内容を表すフローチャートである。
【図１１】ラベル作成装置が対応可能な被印字テープの種別情報をメモリに記憶させている変形例における、ラベル作成時にラベル作成装置のＣＰＵによって実行される制御内容を表すフローチャートである。
【図１２】複数のラベルを選択して一括印字する変形例における、ラベル作成時にラベル作成装置のＣＰＵによって実行される制御内容を表すフローチャートである。
【図１３】装置筐体に装着した被印字テープで対応可能なラベルのみ印字する変形例における、ラベル作成時にラベル作成装置のＣＰＵによって実行される制御内容を表すフローチャートである。
【図１４】ラベルを印字するために必要な種別情報も表示する変形例における、タッチパネル部に表示されたイメージ画像の一例を表す説明図である。
【図１５】装置筐体に装着した被印字テープによるラベル作成の可否を表示する変形例における、タッチパネル部に表示されたイメージ画像の一例を表す説明図である。
【図１６】装置筐体に装着した被印字テープによるラベル作成の可否を表示する変形例における、ラベル作成時にラベル作成装置のＣＰＵによって実行される制御内容を表すフローチャートである。
【図１７】操作端末を用いてラベル作成装置を操作する変形例における、操作端末の詳細機能を表す機能ブロック図である。
【発明を実施するための形態】
【００１１】
以下、本発明の一実施の形態を図面を参照しつつ説明する。なお、以下の説明において前・後・左・右・上・下というときは、図１乃至図３等に示す方向を指すものとする。
【００１２】
図１に、本発明の一実施形態のラベル作成装置１の全体構成を示す。
【００１３】
＜外観概略構成＞
図１（ａ）及び図１（ｂ）に示すように、ラベル作成装置１は、操作者の手によって把持される装置筐体６を備えたハンディ型のラベル作成装置である。ラベル作成装置１の装置外郭を構成する上記装置筐体６は、装置前面を構成する前カバー６Ａと、装置後面を構成する後カバー６Ｂとで構成されている。さらにこの後カバー６Ｂは、種々の機構を内蔵する後カバー本体６Ｂ１と、カートリッジ３１や乾電池８（後述の図２参照）を着脱する際に後カバー本体６Ｂ１より取り外し可能な着脱カバー６Ｂ２とで構成されている。
【００１４】
上記前カバー６Ａの上側には、印刷データやラベルイメージ像等の各種情報を表示するとともに、指等による操作面への接触動作で所望の入力操作を実行可能なタッチパネル部２（表示操作手段に相当）が設けられている。タッチパネル部２の下側には、ラベル作成装置１を操作するためのキーボード部３が設けられている。このキーボード部３には、文字、記号及び数字等の文字キー３ａや、種々の機能キー３ｂが含まれている。また上記後カバー本体６Ｂ１の右側上端には、印刷済みラベル用テープ（図示せず）を切断するためのカットボタン４が設けられている。
【００１５】
＜内部構造＞
図２及び図３に、着脱カバー６Ｂ２を取り外した状態のハンディ型のラベル作成装置１の内部構造を示す。なお、図２はカートリッジ３１をカートリッジホルダ７に装着した状態、図３はカートリッジ３１をカートリッジホルダ７から取り外した状態を表している。
【００１６】
カートリッジ３１は、図２に示すように、平面視略矩形状のカートリッジケース３３を備え、カートリッジケース３３内には、被印字媒体としての被印字テープ３Ａを巻回したロール３（後述の図６参照）と、インクリボンを巻回したリボンスプール（図示省略）と、インクリボンを巻き取るリボン巻取スプール（図示省略）と、基材テープを巻回した基材テープスプール（図示省略）と、テープ搬送ローラ３９とが、それぞれ回転可能に設けられている。
【００１７】
図２及び図３に示すように、後カバー本体６Ｂ１の後側上部には、上記カートリッジ３１を着脱するための平面視略矩形状を有する凹状のカートリッジホルダ７が設けられ、このカートリッジホルダ７に、上記カートリッジ３１が着脱自在に取り付けられる。後カバー本体６Ｂ１のカートリッジホルダ７の下側には、ローラ駆動用モータ２１１（後述の図４参照）を収納するためのモータ収納部５が設けられている。このローラ駆動用モータ２１１は、乾電池８より供給される電力により駆動され、被印字テープ３Ａ（印刷済みラベル用テープを含む）の搬送経路に位置する後述のプラテンローラ１８２、押圧ローラ１９２等を駆動するためのものである。またモータ収納部５のさらに下側、すなわち後カバー本体６Ｂ１の下部には、上記乾電池８を収納するための電池収納部９が設けられている。なお、乾電池８の代わりに充電可能な充電池を用いてもよい。
【００１８】
上記カートリッジホルダ７の上側には、印刷済みラベル用テープを外部に排出するためのテープ排出スリット２４が設けられている。またカートリッジホルダ７の右側上部にはローラホルダ１７が設けられ、このローラホルダ１７の後側には、板状形状を有した板部２５が設けられている。この板部２５の上部には、開口部である突起部挿入口１０が設けられている。着脱カバー６Ｂ２が後カバー本体６Ｂ１に着脱されることにより、着脱カバー６Ｂ２に設けられた突起部（図示せず）が上記突起部挿入口１０に挿抜される。これにより、ローラホルダ１７を印刷位置に移動させたり、待機位置（図２及び図３に示す位置）に移動させたりすることができるようになっている。
【００１９】
また、後カバー本体６Ｂ１の上端部にはロック穴１１が設けられ、下端部にはロック穴１２が２箇所設けられている。着脱カバー６Ｂ２が後カバー本体６Ｂ１に取り付けられた際に、着脱カバー６Ｂ２に設けられたロック部材（図示せず）がそれぞれロック穴１１，１２に嵌め込まれる。これにより、着脱カバー６Ｂ２の自然開放が防止されるようになっている。
【００２０】
図３に示すように、カートリッジホルダ７の底面は、板状のフレーム１３で構成されている。フレーム１３の右端部であるフレーム端１３１は、後述するリブ３０及びローラ軸２０のさらに右側に設けられている。フレーム１３の略中央部には凹状に形成されたギア用凹部２６が設けられている。ギア用凹部２６には、リボン巻取用ギア２１４が設けられている。また、ギア用凹部２６の下側にはギア用第１開口２６１が設けられている。リボン巻取用ギア２１４は、ギア用第１開口２６１を介してフレーム１３の前側の面に設けられた第１中間ギア（図示せず）と噛合されている。また、ギア用凹部２６の上側にはギア用第２開口２６２が設けられている。リボン巻取用ギア２１４は、ギア用第２開口２６２を介してフレーム１３の前側の面に設けられた第２中間ギア（図示せず）と噛合されている。そして、リボン巻取用ギア２１４の後側には、インクリボンを巻き取るためのリボン巻取軸１４が立設されている。この構成により、前述のモータ収納部５に収納されたローラ駆動用モータ２１１の動力が上記複数のギアにより伝達され、リボン巻取用ギア２１４とリボン巻取軸１４とが回転する。
【００２１】
なお、図３では説明のためにリボン巻取用ギア２１４の歯部を露出させた状態を表しているが、実際にはリボン巻取用ギア２１４の歯部は隠蔽用傘部（図示せず）によって覆われ露出しない構造となっている。
【００２２】
また図３に示すように、リボン巻取軸１４の右側には上記リブ３０が立設されている。このリブ３０の右側面に矩形状の放熱板であるヒートシンク１５が設けられている。そして、ヒートシンク１５の右側面には、発熱体を有するサーマルヘッド６１（印字手段に相当。後述の図４参照）が設けられている。
【００２３】
また、リブ３０とテープ排出スリット２４との間には、上記ローラ軸２０がフレーム１３に立設されている。このローラ軸２０は、円柱状に形成された円柱部２０１と、円柱部２０１の外周から外側に向かって放射状に形成された６個のリブ２０２とから構成されている。ローラ軸２０は、カートリッジ３１に設けられたテープ搬送ローラ３９（上記図２参照）の軸孔に挿入され、テープ搬送ローラ３９を回転可能に支持する。
【００２４】
ローラ軸２０の左側には、凸部２７が立設されている。この凸部２７は、カートリッジ３１の凹部（図示せず）に挿入されることで、カートリッジ３１の前後方向の位置決めをするものである。
【００２５】
また、後カバー本体６Ｂ１のカートリッジホルダ７の右側には、プラテンローラユニット１８と押圧ローラユニット１９とを備えたアーム状の上記ローラホルダ１７が左右方向に揺動可能に設けられている。着脱カバー６Ｂ２が取り付けられると、前述した突起部（図示せず）によりローラホルダ１７が、カートリッジホルダ７に装着されたカートリッジ３１の方向に移動される。これにより、押圧ローラユニット１９とプラテンローラユニット１８とが印刷位置に移動する。
【００２６】
上記プラテンローラユニット１８は、ヒートシンク１５の右側に配置されている。プラテンローラユニット１８には、プラテンローラ１８２とプラテンローラ駆動用ギア１８１とが設けられている。プラテンローラ１８２は、ヒートシンク１５の右側面に設けられた上記サーマルヘッド６１に対向する位置に配置されている。プラテンローラ１８２は、プラテンローラ駆動用ギア１８１がローラ駆動用モータ２１１から動力を伝達されて回転することで回転する。これにより、プラテンローラユニット１８が印刷位置に移動した際に、プラテンローラ１８２は、ロール３から繰り出された被印字テープ３Ａ（カバーフィルム）とインクリボンスプールから繰り出されたインクリボンとをサーマルヘッド６１に対して押圧しつつ回転し、サーマルヘッド６１により文字、図形、記号等が印刷された被印字テープ３Ａを押圧ローラユニット１９の方向へ搬送する。
【００２７】
押圧ローラユニット１９には、押圧ローラ１９２と押圧ローラ駆動用ギア１９１とが設けられている。押圧ローラ１９２はローラ軸２０に対向する位置に配置されている。押圧ローラ１９２は、押圧ローラ駆動用ギア１９１がローラ駆動用モータ２１１から動力を伝達されて回転することで回転する。これにより、押圧ローラユニット１９が印刷位置に移動した際に、押圧ローラ１９２は、印刷が行われた被印字テープ３Ａと基材テープスプールから繰り出された基材テープとを、ローラ軸２０に回転可能に支持されたテープ搬送ローラ３９に対して押圧する。これにより、印刷が行われた被印字テープ３Ａと基材テープとが圧着されて印刷済みラベル用テープとなり、テープ排出スリット２４からラベル作成装置１の外部に排出される。
【００２８】
＜制御系＞
次に、図４を用いて、ラベル作成装置１の制御系について説明する。
【００２９】
図４において、ラベル作成装置１には、所定の演算を行う演算部を構成するＣＰＵ２１２が備えられている。ＣＰＵ２１２は、ＲＡＭ２１３、ＲＯＭ２１４及びメモリ２１５に接続されている。このＣＰＵ２１２は、上記プラテンローラ１８２、押圧ローラ１９２等を駆動する上記ローラ駆動用モータ２１１の駆動制御を行うモータ駆動回路２１６と、上記サーマルヘッド６１の発熱素子の通電制御を行う印字ヘッド制御回路２１７と、に接続されている。さらに、ＣＰＵ２１２は、上記タッチパネル部２に接続されている。
【００３０】
ＲＯＭ２１４には、後述する制御処理（後述の図８等参照）等を実行するための制御プログラムが記憶されている。メモリ２１５（第１記憶手段に相当）には、後述する相間情報のテーブル５２等が記憶されている（後述の図７参照）。ＣＰＵ２１２は、ＲＡＭ２１３の一時記憶機能を利用しつつＲＯＭ２１４に予め記憶されたプログラムに従って信号処理を行い、それによってラベル作成装置１全体の制御を行う。
【００３１】
以上のラベル作成装置１では、印字ラベルの作成時に、装置筐体６のカートリッジホルダ７にカートリッジ３１が装着される。そして、装置筐体６の電池収納部９に装着された乾電池８からの電力が供給されたローラ駆動用モータ２１１により、被印字テープ３Ａの搬送経路に位置するプラテンローラ１８２、押圧ローラ１９２及び搬送ローラ３９が駆動され、ロール３から繰り出された被印字テープ３Ａに対しサーマルヘッド６１により所定の印字が行われ、印字が行われた被印字テープ３Ａが基材テープスプールから繰り出された基材テープと貼り合わされることで、印字を有するラベルが作成される。
【００３２】
＜本実施形態の特徴＞
本実施形態の特徴は、ユーザがタッチパル部２にラベルを貼り付ける少なくとも１つの対象物を含む所定の視野のイメージ画像（以下適宜「第１イメージ画像」という）を表示させると、上記対象物を貼り付け対象とするラベルのイメージ画像（以下適宜「第２イメージ画像」という）が上記第１イメージ画像上の上記対象物の位置に重ねて表示される。そして、ユーザがタッチパネル部２においていずれかのラベルの第２イメージ画像を指定する操作入力を行うと、当該指定されたラベルの第２イメージ画像に応じた印字が行われて、第２イメージ画像に対応するラベルが自動的に作成されるようにしたことにある。以下、その詳細を順を追って説明する。
【００３３】
＜イメージ画像＞
図５に、タッチパネル部２に表示されたイメージ画像の一例を示す。図５に示すように、この例では、タッチパネル部２に、制御盤４０の第１イメージ画像と、当該第１イメージ画像上のアンペアスイッチ４１（対象物に相当）、ブレーカースイッチ４２（対象物に相当）、及び分電盤４３（対象物に相当）の位置に重ねて配置され、これらアンペアスイッチ４１、ブレーカースイッチ４２、及び分電盤４３を貼り付け対象とするラベルＬ１，Ｌ２，Ｌ３の第２イメージ画像とが併せて表示されている。なお、図５では、各ラベルの第２イメージ画像を単なる白ラベル（白塗りの四角形）としているが、印字データの内容が表示されるようにしてもよい。
【００３４】
ユーザがタッチパネル部２の操作面５０において例えば指４４等によりいずれかのラベルＬ１〜Ｌ３（図５に示す例ではラベルＬ３）の第２イメージ画像に触れてラベルを指定する操作入力を行うと、被印字テープ３Ａに対し指定されたラベルの印字形成が行われて所定の長さに切断され、指定された第２イメージ画像に対応するラベルが作成される。図６に、作成されたラベルの一例を示す。図６に示す例は、ブレーカースイッチ４２のラベルＬ２の第２イメージ画像が指定された場合であり、ブレーカースイッチ４２に貼り付けるラベルとして、ブレーカースイッチ４２の名称及び規格等の印字Ｒを有するラベルＬ２が作成される。
【００３５】
＜相関情報のテーブル等＞
図７に、ラベル作成装置１に備えられたメモリ２１５（上記図４参照）に記憶されたテーブルの一例を示す。メモリ２１５には、図７（ａ）の描画座標テーブル５２と、図７（ｂ）の印字パターンテーブル５３と、図７（ｃ）の貼り付け対象テーブル５４が記憶されている。
【００３６】
描画座標テーブル５２は、制御盤４０の第１イメージ画像、第１イメージ画像に含まれるアンペアスイッチ４１、ブレーカースイッチ４２、分電盤４３を貼り付け対象とするラベルＬ１，Ｌ２，Ｌ３の第２イメージ画像、及び各ラベルの第１イメージ画像上における配置位置情報（配置Ｘ座標の欄及び配置Ｙ座標の欄）を対応付けた相関情報（第１相関情報に相当）である。
【００３７】
なお、配置位置情報の配置Ｘ座標、配置Ｙ座標は、上記図５において、タッチパネル部２の左側下端を原点Ｏ（Ｘ＝０、Ｙ＝０）として、右方向にＸ座標をとり、上方向にＹ座標を取ったものである。例えばアンペアスイッチ４１において、配置Ｘ座標（Ｘ１，Ｘ２）＝６０，８０は、ラベルＬ１のＸ座標の描画範囲が６０〜８０の領域であることを示し、配置Ｙ座標（Ｙ１，Ｙ２）＝３５０，３７０は、ラベルＬ１のＹ座標の描画範囲が３５０〜３７０の領域であることを示す。
【００３８】
ＣＰＵ２１２は、制御盤４０の第１イメージ画像を表示させる操作入力が行われると、描画座標テーブル５２の相関情報に基づいて、制御盤４０の第１イメージ画像と、当該第１イメージ画像上の上記配置位置情報に対応した位置に配置されたラベルＬ１〜Ｌ３の第２イメージ画像とを、タッチパネル部２に表示させる。
【００３９】
印字パターンテーブル５３は、制御盤４０の第１イメージ画像に含まれるアンペアスイッチ４１、ブレーカースイッチ４２、分電盤４３を貼り付け対象とするラベルＬ１〜Ｌ３の第２イメージ画像と、当該第２イメージ画像に対応するラベルＬ１〜Ｌ３の印字データを対応付けた相関情報（第２相関情報に相当）である。印字データとしては、この例では予め定められた印字パターンが記憶され、当該印字パターンにテンプレートが含まれる場合には、当該テンプレート情報も併せて記憶される（図７（ｂ）に示す例では分電盤４３のラベルＬ３の印字データにナンバリング情報のテンプレートが含まれる）。
【００４０】
ＣＰＵ２１２は、ラベルＬ１〜Ｌ３の第２イメージ画像のいずれかを指定する操作入力が行われると、印字パターンテーブル５３の相関情報に基づいて、指定された第２イメージ画像に対応する印字データを印字するように印字ヘッド制御回路２１７を介してサーマルヘッド６１を制御する。
【００４１】
図７（ｃ）の貼り付け対象テーブル５４は、制御盤４０等の第１イメージ画像と、当該第１イメージ画像のＸ方向及びＹ方向の描画範囲（描画Ｘ座標の欄及び描画Ｙ座標の欄）とを対応付けた相関情報である。
【００４２】
＜制御内容＞
上記内容を実現するために、ラベル作成時にラベル作成装置１のＣＰＵ２１２によって実行される制御内容を、図８を用いて説明する。
【００４３】
まず、ステップＳ１０で、ＣＰＵ２１２は、ユーザがキーボード部３等を介して行った操作入力に応じ、装置筐体６に装着された被印字テープ３Ａのテープ幅等の種別を指定する。ステップＳ１０が終了すると、ステップＳ２０に移る。なお、被印字テープ３Ａの種別としては、テープ幅以外にも、例えばテープ色等を指定できるようにしてもよい。
【００４４】
ステップＳ２０では、ＣＰＵ２１２は、アンペアスイッチ４１等の対象物を含む制御盤４０の第１イメージ画像と、当該第１イメージ画像上のアンペアスイッチ４１等の対象物の位置に重ねて配置され、当該対象物を貼り付け対象とするラベルＬ１〜Ｌ３の第２イメージ画像とを、タッチパネル部２に表示させる。なおこのとき、ＣＰＵ２１２は、上記ラベルＬ１〜Ｌ３のうち、上記ステップＳ１０で指定された種別の被印字テープ３Ａを用いて作成可能なラベルの第２イメージ画像を表示させる。つまり、例えばラベルＬ１，Ｌ２，Ｌ３は各々テープ幅１２ｍｍ，２４ｍｍ，３６ｍｍの被印字テープ３Ａを用いて作成されるものとした場合、上記ステップＳ１０でテープ幅１２ｍｍの種別情報が指定された場合にはラベルＬ１のみが表示され、テープ幅２４ｍｍの種別情報が指定された場合にはラベルＬ１，Ｌ２が表示され、テープ幅３６ｍｍ以上の種別情報が指定された場合にはラベルＬ１，Ｌ２，Ｌ３の全てが表示される。ステップＳ２０が終了すると、ステップＳ３０に移る。
【００４５】
ステップＳ３０では、ＣＰＵ２１２は、ユーザが上記ステップＳ２０においてタッチパネル部２に表示された作成可能なラベルのイメージ画像のいずれか一つを選択したか否かを判定する。作成するラベルが選択されるまでは判定が満たされず（ステップＳ３０:ＮＯ）、当該ステップＳ３０を繰り返す。作成するラベルが選択された場合には判定が満たされ（ステップＳ３０:ＹＥＳ）、ステップＳ４０に移る。
【００４６】
ステップＳ４０では、ＣＰＵ２１２は、印字ヘッド制御回路２１７を介してサーマルヘッド６１を印字制御して、上記ステップＳ３０で選択（指定）された第２イメージ画像に応じた印字を被印字テープ３Ａに行わせ、第２イメージ画像に対応するラベルを作成する。その後、本フローを終了する。
【００４７】
以上において、上記ステップＳ１０が各請求項記載の媒体指定手段として機能し、上記ステップＳ２０が各請求項記載の表示制御手段として機能し、上記ステップＳ４０が各請求項記載の印字制御手段として機能する。
【００４８】
＜実施形態の効果＞
以上説明したように、本実施形態のラベル作成装置１では、タッチパネル部２に、少なくとも１つの対象物を含む所定の視野の制御盤４０の第１イメージ画像、及び、当該第１イメージ画像上の上記対象物であるアンペアスイッチ４１、ブレーカースイッチ４２、分電盤４３の位置に重ねて配置され、これらを貼り付け対象とするラベルＬ１，Ｌ２，Ｌ３の第２イメージ画像が表示される。そして、ユーザがタッチパネル部２の操作面５０においていずれかの第２イメージ画像を指定する操作入力を行うと、上記ステップＳ４０において、ＣＰＵ２１２がサーマルヘッド６１による印字を制御して、当該指定された第２イメージ画像に対応するラベルＬが作成される。
【００４９】
これにより、ユーザは、タッチパネル部２に表示されたラベルＬ１，Ｌ２，Ｌ３の第２イメージ画像の中から所望のラベルに対応するイメージ画像を指定するだけで、ラベルを直感的に選択することができる。したがって、対象物の種別に応じて分類された項目を選択していくことで作成するラベルを選択するといった煩雑な操作が不要となるので、ユーザの操作負担を低減し、利便性を向上できる。
【００５０】
また、本実施形態では特に、描画座標テーブル５２と印字パターンテーブル５３がメモリ２１５に記憶されている。描画座標テーブル５２は、制御盤４０の第１イメージ画像と、当該第１イメージ画像に含まれる対象物を貼り付け対象とするラベルＬ１〜Ｌ３の第２イメージ画像と、当該第２イメージ画像の第１イメージ画像上における配置位置情報と、を対応付けた情報である。また、印字パターンテーブル５３は、ラベルＬ１〜Ｌ３の第２イメージ画像と、ラベルＬ１〜Ｌ３の印字データと、を対応付けた情報である。
【００５１】
このように、相関情報であるテーブル５２，５３をメモリ２１５に記憶する構成とすることで、新たな貼り付け対象物を含む新たな視野の第１イメージ画像を追加したり、第１イメージ画像上における第２イメージ画像の配置位置を変更したりといった、相関情報の加工を容易に行うことができる。その結果、新たな貼り付け対象用のラベルに対しても容易に適用可能とすることができるので、汎用性や拡張性を高めることができる。
【００５２】
また、本実施形態では特に、ユーザの操作入力により被印字テープ３Ａの種別が指定されると、第１イメージ画像と、当該第１イメージ画像に含まれる対象物を貼り付け対象とするラベルＬ１〜Ｌ３の第２イメージ画像のうち、指定された種別の被印字テープ３Ａにより作成可能なラベルの第２イメージ画像とが、タッチパネル部２に表示される。これにより、ユーザが指定した被印字テープ３Ａにより作成不能なラベルについては表示されなくなるので、ラベルの選択操作がさらに容易となり、ユーザの操作負担をさらに低減できる。
【００５３】
＜変形例＞
なお、本発明は、上記実施形態に限られるものではなく、その趣旨及び技術的思想を逸脱しない範囲内で種々の変形が可能である。以下、そのような変形例を順を追って説明する。
【００５４】
（１）装置筐体６に装着された被印字テープ３Ａの種別情報をカートリッジセンサで取得する場合
上記実施形態では、装置筐体６に装着された被印字テープ３Ａの種別をユーザが操作入力するようにしたが、装置筐体６に被印字テープ３Ａの種別を検出するカートリッジセンサを設置し、ラベル作成装置１側で被印字テープ３Ａの種別情報を自動的に取得するようにしてもよい。本変形例におけるラベル作成装置１の制御系の一例を図９に示す。
【００５５】
本変形例において、図９に示すように、装置筐体６のカートリッジホルダ７に設置されるカートリッジセンサ７０（種別情報取得手段に相当）がＣＰＵ２１２に接続されている。カートリッジセンサ７０は、例えば複数個のプッシュ式の検出ロッドを有するマイクロスイッチ等からなり、カートリッジ３１のケース３３の外郭に備えられた図示しない被検出部の複数の凹孔を有する壁部に対し、検出ロッドが接触するとマイクロスイッチがオンし、検出ロッドが凹孔に進入するとマイクロスイッチがオフする。カートリッジセンサ７０は、複数個のマイクロスイッチのオン・オフ信号の組み合わせにより、カートリッジ３１に収容された被印字テープ３Ａのテープ幅等の種別を判別し、種別情報を取得することができる。
【００５６】
図１０に、本変形例におけるラベル作成時にラベル作成装置１のＣＰＵ２１２によって実行される制御内容を示す。
【００５７】
まず、ステップＳ１０Ａで、ＣＰＵ２１２は、カートリッジセンサ７０を介して装置筐体６に装着された被印字テープ３Ａのテープ幅等の種別情報を取得する。ステップＳ１０Ａが終了すると、ステップＳ２０に移る。
【００５８】
ステップＳ２０では、制御盤４０の第１イメージ画像と、当該第１イメージ画像に含まれるアンペアスイッチ４１、ブレーカースイッチ４２、分電盤４３を貼り付け対象とするラベルＬ１〜Ｌ３のうち、上記ステップＳ１０においてカートリッジセンサ７０により取得された種別の被印字テープ３Ａにより作成可能なラベルの第２イメージ画像とが、タッチパネル部２に表示される。
【００５９】
その後のステップＳ３０及びステップＳ４０は、図８と同じであるので、説明を省略する。
【００６０】
本変形例によれば、被印字テープ３Ａの種別情報がカートリッジセンサ７０により自動的に取得されるので、ユーザが種別情報を操作入力する手間が省け、ユーザの操作負担をさらに低減できる。
【００６１】
（２）ラベル作成装置１が対応可能な被印字テープ３Ａの種別情報をメモリ２１５に記憶させている場合
本変形例では、メモリ２１５（第２記憶手段に相当）に、ラベル作成装置１が対応可能な被印字テープ３Ａの種別情報が予め記憶されている。そして、ラベル作成時、メモリ２１５からラベル作成装置１が対応可能な被印字テープ３Ａの種別情報が読み出される。
【００６２】
図１１に、本変形例におけるラベル作成時にラベル作成装置１のＣＰＵ２１２によって実行される制御内容を示す。
【００６３】
まず、ステップＳ１０Ｂで、ＣＰＵ２１２は、メモリ２１５に記憶されているラベル作成装置１が対応可能な被印字テープ３Ａの種別情報を読み出す。
【００６４】
ステップＳ２０では、制御盤４０の第１イメージ画像と、当該第１イメージ画像に含まれる対象物のアンペアスイッチ４１、ブレーカースイッチ４２、分電盤４３を貼り付け対象とするラベルのうち、上記ステップＳ１０Ｂにおいてメモリ２１５から読み出されたラベル作成装置１が対応可能な種別の被印字テープ３Ａにより作成可能なラベルの第２イメージ画像とが、タッチパネル部２に表示される。
【００６５】
つまり、前述のように、例えばラベルＬ１，Ｌ２，Ｌ３は各々テープ幅１２ｍｍ，２４ｍｍ，３６ｍｍの被印字テープ３Ａを用いて作成されるものとした場合、上記ステップＳ１０において読み出した種別情報が例えばテープ幅１２ｍｍのみである場合には、ラベルＬ１のみが表示されることとなる。
【００６６】
その後のステップＳ３０及びステップＳ４０は、図８と同じであるので、説明を省略する。
【００６７】
これにより、使用中のラベル作成装置１により作成不能なラベルについては表示されなくなるので、ラベルの選択操作がさらに容易となり、ユーザの操作負担をさらに低減できる。
【００６８】
（３）複数のラベルを選択して一括印字する場合
本変形例は、タッチパネル部２に表示されたラベルＬ１〜Ｌ３のうちの複数のラベルの第２イメージ画像を、タッチパネル部２での操作入力によりユーザが一括して選択できるようにしたものである。
【００６９】
本変形例では、タッチパネル部２において、ユーザが所望の複数のラベルの第２イメージ画像を一つずつ連続して指定するか、あるいは、所望の複数のラベルの第２イメージ画像が含まれるように操作面５０において（例えばなぞる等の操作により）範囲を指定することで、複数のラベルの第２イメージ画像を一括して選択することができる。
【００７０】
図１２に、本変形例におけるラベル作成時にラベル作成装置１のＣＰＵ２１２によって実行される制御内容を示す。
【００７１】
ステップＳ１０及びステップＳ２０は、図８と同じであるので、説明を省略する。
【００７２】
ステップＳ３０Ａでは、ＣＰＵ２１２は、ユーザが上記ステップＳ２０で表示された作成可能なラベルの第２イメージ画像のうちの複数のイメージ画像を選択したか否かを判定する。複数の第２イメージ画像が選択されるまで判定が満たされず（ステップＳ３０Ａ:ＮＯ）、ステップＳ３０Ａを繰り返す。複数の第２イメージ画像が選択された場合には、判定が満たされ（ステップＳ３０Ａ:ＹＥＳ）、ステップＳ４０Ａに移る。
【００７３】
ステップＳ４０Ａでは、ＣＰＵ２１２は、印字ヘッド制御回路２１７を介してサーマルヘッド６１を印字制御して、上記ステップＳ３０Ａで選択（指定）された複数の第２イメージ画像に応じた印字を順次行わせ、複数のラベルを一括して作成する。その後、本フローを終了する。
【００７４】
本変形例によれば、複数のラベルを作成する際に、ユーザが第２イメージ画像を１つ１つ選択する（１つ選択する度にラベルが作成される）必要がないので、操作性を向上でき、ユーザの操作負担をさらに低減できる。特に、タッチパネル部２の操作面５０において所望の範囲を指定することにより複数のラベルの第２イメージ画像を一括して指定する場合には、ユーザの直感的な操作性をさらに向上できる。
【００７５】
（４）装置筐体２に装着した被印字テープ３Ａで対応可能なラベルのみ印字する場合
本変形例は、タッチパネル部２で複数のラベルの第２イメージ画像が一括して指定された場合に、指定された複数の第２イメージ画像に対応する複数のラベルのうち、カートリッジセンサ７０により取得された種別の被印字テープ３Ａにより作成可能なラベルのみを作成するものである。
【００７６】
図１３に、本変形例におけるラベル作成時にラベル作成装置１のＣＰＵ２１２によって実行される制御内容を示す。
【００７７】
ステップＳ１０Ａは、図１０と同じであり、ＣＰＵ２１２は、カートリッジセンサ７０を介して装置筐体６に装着された被印字テープ３Ａのテープ幅等の種別情報を取得する。ステップＳ１０Ａが終了すると、ステップＳ２０Ｃに移る。
【００７８】
ステップＳ２０Ｃでは、ＣＰＵ２１２は、制御盤４０の第１イメージ画像と、この第１イメージ画像に含まれるアンペアスイッチ４１等の対象物を貼り付け対象とするすべてのラベルＬ１〜Ｌ３の第２イメージ画像とを表示する。ステップＳ２０Ｃが終了すると、ステップＳ３０Ａに移る。
【００７９】
ステップＳ３０Ａは、図１２と同じであり、ＣＰＵ２１２は、ユーザが上記ステップＳ２０Ｃで表示されたラベルＬ１〜Ｌ３の第２イメージ画像を複数選択したか否かを判定する。複数の第２イメージ画像が選択されるまで判定が満たされず（ステップＳ３０Ａ:ＮＯ）、ステップＳ３０Ａを繰り返す。複数の第２イメージ画像が選択された場合には、判定が満たされ（ステップＳ３０Ａ:ＹＥＳ）、ステップＳ４０Ｂに移る。
【００８０】
ステップＳ４０Ｂでは、ＣＰＵ２１２は、上記ステップＳ３０Ａで選択された複数の第２イメージ画像に対応する複数のラベルのうち、上記ステップＳ１０Ａでカートリッジセンサ７０により取得された種別の被印字テープ３Ａで作成可能なラベルのみを印字するように、サーマルヘッド６１を印字制御してラベルを作成する。
【００８１】
本変形例では、種別情報を取得した被印字テープ３Ａで作成可能なラベルのみ印字するようにしたので、例えば被印字テープ３Ａのテープ幅が不足して印字データの一部しか印字されていないラベル等の不良ラベルが作成されることを防止でき、ラベル作成装置１の信頼性を向上できる。
【００８２】
（５）ラベルを印字するために必要な被印字テープの種別も表示する場合
本変形例では、図示は省略するが、上述したメモリ２１５に記憶された印字パターンテーブル５３は、各ラベルの第２イメージ画像及び印字データに加え、当該印字データを印字するために必要な被印字テープ３Ａの種別情報を対応付けた情報（第２相関情報に相当）である。そこで、本変形例では、タッチパネル部２に表示される第１イメージ画像上のラベルＬ１〜Ｌ３の第２イメージ画像の一つ一つに、上記印字パターンテーブル５３に基づき、当該第２イメージ画像に対応する被印字テープ３Ａの種別情報を表示する。本変形例におけるタッチパネル部２のイメージ画像の表示の一例を図１４に示す。
【００８３】
図１４に示すように、タッチパネル部２に表示された制御盤４０の第１イメージ画像に含まれる対象物のアンペアスイッチ４１、ブレーカースイッチ４２、及び分電盤４３を貼り付け対象とするラベルＬ１，Ｌ２，Ｌ３の第２イメージ画像には、各ラベルを印字するために必要な被印字テープ３Ａの種別情報としてテープ幅を添えて表示している。なお、この例ではテープ幅を吹き出しで表示しているが、表示態様はこれに限定されるものではない。
【００８４】
この例では、アンペアスイッチ４１を貼り付け対象とするラベルＬ１を印字するのに必要な被印字テープ３Ａのテープ幅は２４ｍｍであり、ブレーカースイッチ４２を貼り付け対象とするラベルＬ２を印字するのに必要な被印字テープ３Ａのテープ幅は３６ｍｍであり、分電盤４３を貼り付け対象とするラベルＬ３を印字するのに必要な被印字テープ３Ａのテープ幅は４８ｍｍであることが示されている。
【００８５】
なお、本変形例ではフローチャートは省略するが、ＣＰＵ２１２が、印字パターンテーブル５３に基づいて、第２イメージ画像ごとに、当該第２イメージ画像に対応する種別情報をタッチパネル部２に表示させる手順（例えば図８のステップＳ２０等に相当する手順）が、表示制御手段として機能する。
【００８６】
これにより、ユーザは、タッチパネル部２でラベルを指定する際（印字開始前）に、当該ラベルの作成に必要な種別の被印字テープ３Ａを認識することができる。その結果、装着された被印字テープ３Ａでは作成不可能なラベルを指定することによる操作のやり直しが不要となるので、ユーザの操作負担をさらに低減できる。
【００８７】
（６）装置筐体２に装着した被印字テープ３Ａでのラベル作成の可否を表示する場合
本変形例は、カートリッジセンサ７０により装置筐体２に装着された被印字テープ３Ａのテープ幅等の種別情報を取得し、当該被印字テープ３Ａによって各ラベルＬ１〜Ｌ３の作成が可能か否かを、上記メモリ２１５に記憶された印字パターンテーブル５３に含まれる種別情報と比較して判定し、タッチパネル部２にラベルＬ１〜Ｌ３の第２イメージ画像ごとに作成可否の判定結果を表示するものである。本変形例におけるタッチパネル部２のイメージ画像の表示の一例を図１５に示す。
【００８８】
図１５に示す例では、制御盤４０の第１イメージ画像に含まれる対象物のアンペアスイッチ４１、ブレーカースイッチ４２、及び分電盤４３を貼り付け対象とするラベルＬ１，Ｌ２，Ｌ３の第２イメージ画像のうち、分電盤４３を貼り付け対象とするラベルＬ３の第２イメージ画像にのみ、種別情報（テープ幅）上に作成不可の判定結果を示す「×」印が表示されている。一方、アンペアスイッチ４１及びブレーカースイッチ４２を貼り付け対象とするラベルＬ１，Ｌ２の第２イメージ画像には、種別情報上に「×」印が表示されておらず、作成可能の判定結果であることを表している。なお、判定結果の表示態様はこれに限定されるものではない。
【００８９】
すなわち、この例では、装置筐体２に装着された被印字テープ３Ａのテープ幅が３６ｍｍであり、上記メモリ２１５に記憶された印字パターンテーブル５３に含まれる各ラベルのテープ幅情報と比較した結果、ラベルＬ１，Ｌ２の作成に必要なテープ幅には足りているが、ラベルＬ３の作成に必要なテープ幅には不足していることから、上記の判定結果となっている。
【００９０】
図１６に、本変形例におけるラベル作成時にラベル作成装置１のＣＰＵ２１２によって実行される制御内容を示す。
【００９１】
まず、ステップＳ１０Ａは、図１０と同じであり、ＣＰＵ２１２は、カートリッジセンサ７０により装置筐体６に装着された被印字テープ３Ａのテープ幅等の種別情報を取得する。
【００９２】
ステップＳ１５では、ＣＰＵ２１２は、上記ステップＳ１０Ａでカートリッジセンサ７０により取得された被印字テープ３Ａのテープ幅等の種別情報と、上記メモリ２１５に記憶された印字パターンテーブル５３に含まれる種別情報とを比較して、制御盤４０のアンペアスイッチ４１、ブレーカースイッチ４２、及び分電盤４３を貼り付け対象とするラベルＬ１〜Ｌ３の全てについて作成の可否を判定する。なお、当該ステップＳ１５が、特許請求の範囲に記載の作成可否判定手段として機能する。ステップＳ１５が終了すると、ステップＳ２０Ｃに移る。
【００９３】
ステップＳ２０Ｃでは、ＣＰＵ２１２は、タッチパネル部２に、制御盤４０の第１イメージ画像と、当該第１イメージ画像に含まれるアンペアスイッチ４１、ブレーカースイッチ４２、分電盤４３を貼り付け対象とする全てのラベルＬ１〜Ｌ３の第２イメージ画像とを表示すると共に、上記ステップＳ１５で得られたラベルの作成可否の判定結果に関する情報をラベルの第２イメージ画像ごとに表示する。ステップＳ２０Ｃが終了すると、ステップＳ３０に移る。
【００９４】
ステップＳ３０、ステップＳ４０は、図８と同じであるので説明を省略する。
【００９５】
本変形例によれば、ユーザによる、装着された被印字テープ３Ａでは作成不可能なラベルの指定を確実に防止できるので、操作のやり直しが不要となり、ユーザの操作負担を確実に低減できる。
【００９６】
（７）タッチパネル部２に表示されたイメージ画像を拡大してラベルを選択可能とする場合
図示は省略するが、本変形例では、ユーザの所定の操作により、タッチパネル部２が、制御盤４０の第１イメージ画像及びアンペアスイッチ４１等の貼り付け対象に貼り付けるラベルＬ１〜Ｌ３の第２イメージ画像を拡大して表示することが可能であり、且つ、拡大して表示した状態で、ラベルＬ１〜Ｌ３の第２イメージ画像を指定する操作入力を実行することが可能である。
【００９７】
これにより、ユーザは、拡大表示によって所望の第２イメージ画像を他の第２イメージ画像と区別し易くした上で指定できるので、操作性を向上でき、ユーザの操作負担をさらに低減できる。
【００９８】
なお、タッチパネル部２の表示において、拡大前の各ラベルの第２イメージ画像を単なる白ラベル（白塗りの四角形）とし、拡大すると印字データの内容が表示されるようにしてもよい。これにより、ユーザはタッチパネル部２でラベルを指定する際に、各ラベルの印字内容を確認することが可能となり、利便性をさらに向上できる。
【００９９】
（８）操作端末によってラベル作成装置を操作する場合
上記実施形態では、ハンディ型のラベル作成装置１としたが、これに限定されず、例えばラベル作成装置を据え置き型とし、携帯型の操作端末を用いてラベル作成装置を操作してもよい。本変形例における操作端末の詳細機能を図１７に示す。
【０１００】
図１７に示す機能ブロック図において、操作端末１００は携帯型の端末であり、例えばパソコンやスマートフォン等である。また、ラベル作成装置１は、上記実施形態のようにハンディ型でもよいし、据え置き型でもよい。操作端末１００は、対象物に貼り付け可能なラベルを作成するラベル作成装置１を操作するための、各種情報の表示を行うと共に操作面により所望の操作入力を実行可能なタッチパネル部１１２（表示操作手段に相当）と、制御回路１０２（演算手段に相当）と、各種情報を記憶するメモリ１０６（第１記憶手段及び第２記憶手段に相当する）と、通信制御部１０８と、操作ボタン１１０と、を備えている。
【０１０１】
通信制御部１０８は、無線を介して接続されたラベル作成装置１との間で行われる、情報通信の制御を行う。
【０１０２】
制御回路１０２は、図示しないＣＰＵ、ＲＡＭ、及びＲＯＭ等を備えている。この制御回路１０２は、ＣＰＵの演算機能により、ＲＡＭの一時記憶機能を利用しつつ、ＲＯＭに予め記憶された各種プログラムを実行する。この各種プログラムには、本発明のラベル作成用処理プログラムが含まれている。また、制御回路１０２は、通信制御部１０８を介し、無線通信又は有線通信によりラベル作成装置１と接続されており、ラベル作成装置１と各種情報やデータの送受が可能となっている。
【０１０３】
メモリ１０６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ１０６には、上記各種プログラムや、上記描画座標テーブル５２（第１相関情報）、上記印字パターンテーブル５３（第２相関情報）等の各種テーブルが記憶されている。
【０１０４】
本変形例では、操作端末１００の制御回路１０２が、少なくとも１つの対象物を含む所定の視野の制御盤４０の第１イメージ画像、及び、当該第１イメージ画像上の対象物の位置に重ねて配置され、対象物を貼り付け対象とするラベルＬ１〜Ｌ３の第２イメージ画像を、タッチパネル部１１２に表示する（表示手順に相当）。そして、ユーザがタッチパネル部１１２の操作面においていずれかの第２イメージ画像を指定する操作入力を行うことにより、制御回路１０２は、当該第２イメージ画像に対応するラベルを作成するように、ラベル作成装置１のサーマルヘッド６１による印字を制御制御信号を生成する（信号生成手順に相当）。そして、制御回路１０２は、生成した制御信号をラベル作成装置１に送信する（信号送信手順に相当）。これにより、ラベル作成装置１では、操作端末１００で指定された第２イメージ画像に対応するラベルが作成される。
【０１０５】
このようにして、ユーザは、操作端末１００のタッチパネル部１１２に表示された第２イメージ画像の中から所望のラベルに対応する第２イメージ画像を指定するだけで、ラベルを直感的に選択することができる。したがって、対象物の種別に応じて分類された項目を選択していくことで作成するラベルを選択するといった煩雑な操作が不要となるので、ユーザの操作負担を低減し、利便性を向上できる。
【０１０６】
（９）その他
なお、以上において、図４、図９、図１７等のブロック図に示す矢印は信号の流れの一例を示すものであり、信号の流れ方向を限定するものではない。
【０１０７】
また、図８、図１０、図１１、図１２、図１３、図１６等に示すフローチャートは本発明を上記フローに示す手順に限定するものではなく、発明の趣旨及び技術的思想を逸脱しない範囲内で手順の追加・削除又は順番の変更等をしてもよい。
【０１０８】
また、以上既に述べた以外にも、上記実施形態や各変形例による手法を適宜組み合わせて利用しても良い。
【０１０９】
その他、一々例示はしないが、本発明は、その趣旨を逸脱しない範囲内において、種々の変更が加えられて実施されるものである。
【符号の説明】
【０１１０】
１                ラベル作成装置
２                タッチパネル部（表示操作手段）
６                装置筐体
３Ａ              被印字テープ（被印字媒体）
４１              アンペアスイッチ（対象物）
４２              ブレーカースイッチ（対象物）
４３              分電盤（対象物）
５０              操作面
５２              描画座標テーブル（第１相関情報）
５３              印字パターンテーブル（第２相関情報）
６１              サーマルヘッド（印字手段）
７０              カートリッジセンサ（種別情報取得手段）
１００            操作端末
１０２            制御回路（演算手段）
１０６            メモリ（第１記憶手段、第２記憶手段）
１１２            タッチパネル部（表示操作手段）
２１５            メモリ（第１記憶手段、第２記憶手段）
Ｌ１〜Ｌ３        ラベル
【図１】
2014188727.tif 000003
【図２】
2014188727.tif 000004
【図３】
2014188727.tif 000005
【図４】
2014188727.tif 000006
【図５】
2014188727.tif 000007
【図６】
2014188727.tif 000008
【図７】
2014188727.tif 000009
【図８】
2014188727.tif 000010
【図９】
2014188727.tif 000011
【図１０】
2014188727.tif 000012
【図１１】
2014188727.tif 000013
【図１２】
2014188727.tif 000014
【図１３】
2014188727.tif 000015
【図１４】
2014188727.tif 000016
【図１５】
2014188727.tif 000017
【図１６】
2014188727.tif 000018
【図１７】
2014188727.tif 000019